(57)【要約】【課題】遊技基板にレンチキュラー板を固着した遊技盤上の所定の位置に、遊技部品を確実に取り付けることである。【解決手段】レンチキュラー板１７を固着した遊技基板２に遊技部品を取付ける際、遊技盤１の前面から遊技部品の壁面の各箇所に適宜設けられた固定爪部材２３が嵌入され、遊技部品取付孔３のレンチキュラー板１７を一体成形して設けた側壁１７ａに配設された固定溝穴２２を通過時に圧入により内側に弾性変形し、通過後復帰し係止部２５において固定される。【選択図】　　　　図１２
2004121642.tif 000002
【特許請求の範囲】
【請求項１】
立体視用合成画像シートに描かれた図柄を立体視可能とするレンチキュラー板を固着した遊技盤において、遊技基板に大きさの異なる遊技部品を取付るための複数の孔を所定の位置に設け、該遊技部品を取付るための複数の孔と対応するようにレンチキュラー板、立体視用合成画像シートに連続した複数の取付孔を配設し、夫々の取付孔が一体の取付孔となるように貼付し、遊技基板の取付孔の側壁で遊技部品を圧入固定する箇所に固定爪部材と同幅の固定溝穴を配設するとともに、レンチキュラー板に設けた孔で遊技部品の固定爪部材が圧入される箇所に、遊技盤前面のレンチキュラー板から立体視用合成画像シートと遊技基板を固着した部分までを覆う側壁を設け、該側壁と遊技基板の後端部との間に有る固定溝穴と、遊技部品の壁面の各箇所に適宜設けられた固定爪部材とが圧入により係止され、前記固定溝穴内に位置するように遊技部品が遊技盤へ固定されるように構成したことを特徴とする遊技機の遊技盤。
【発明の詳細な説明】
【０００１】
【発明が属する技術分野】
本発明は遊技機の遊技部品の固定に関し、より詳しくは立体視可能な遊技盤を配置する遊技機において、遊技部品を圧入し遊技盤に固定することに関する。
【０００２】
【従来の技術】
パチンコ機においては、遊技盤１に内レール６と外レール７等のガイドレールを装着し、該ガイドレールに囲まれた遊技領域８の内側に、アタッカー１４、入賞口１１、始動口１３、風車９、通過チャッカー１５、サイド表示ランプ１０、センターケース１２等の遊技部品を配置している。
【０００３】
従来、遊技機の遊技盤１においては、ベニヤ等の遊技基板２の上に装飾シート５を貼着した遊技盤面上に夫々の役目を持つ数種の遊技部品が取付けられるのであるが、各遊技部品が遊技盤１に対応するように挿入可能な遊技部品取付孔３が配設され、そして螺子により遊技盤１に遊技部品が固定されている。もしくは、遊技部品取付孔３に対応するよう遊技部品の主要箇所に適宜配設された弾性を有す図１１のセンターケース１２の斜視図にあるような外向きの固定爪部材２３を具備し、遊技部品取付孔３の前面から嵌合させると圧入により該固定爪部材２３が内向きに弾性変形し、遊技盤１に設けられた係止部２５において被係止部と遊技基板２の裏面で固定されている（例えば、特許文献１参照。）。また、遊技基板２に配設された遊技部品取付孔３の一部を拡径して段差部分を付設し、該段差部分に固定爪部材２３を配設した遊技部品を嵌合するようにしている（例えば、特許文献２参照。）。
【０００４】
そして、遊技盤１に配設される図柄に関してであるが、遊技基板２の前面に二像またはそれ以上の視差のある画像を写した立体視用合成画像シート１６を接着剤１９により遊技基板４に貼り付け、該立体視用合成画像シート１６の前面に該立体視用合成画像シート１６レンズ１８のピッチＰを合わせたレンチキュラー板１７を接着剤４により貼り付け、遊技者に平面的な画像を立体的に見せることがしばしば行われている（例えば、特許文献３参照。）。
【０００５】
【特許文献１】
特開平１０−１７９８５３号公報（第７頁、第６図）
【特許文献２】
特開２０００−７０４５３号公報（第６頁、第２図）
【特許文献３】
特公平１０−２７４５０３２号公報（第３頁、第１図）
【０００６】
【発明が解決しようとする課題】
しかし、遊技部品の取付構造にあっては、従来では遊技盤の前面から螺着するという方法が数多くとられていた為、取付作業に時間がかかっていた。また、遊技部品を固定する位置決めにも熟練者でないと取付穴内でずれたりしてしまっていた。そして、遊技部品の圧入による固定に関しても、従来では、係止部分が遊技基板裏面から突出して固定する形をとっていた為、遊技球を誘導する一体成形された枠体である集合盤の着脱作業においても多大な困難をきたしていた。
【０００７】
本発明は、かかる従来の課題に鑑み提案されたもので、集合盤に接触することなく遊技盤へ遊技部品の固定が為せるとともに、安価での製作を可能とする遊技機の遊技盤を開発することを目的としている。
【０００８】
【課題を解決するための手段】
上記課題を解決するための本発明が採用した手段を以下に記載する。本発明請求項１記載の発明は、「立体視用合成画像シートに描かれた図柄を立体視可能とするレンチキュラー板を固着した遊技盤において、遊技基板に大きさの異なる遊技部品を取付るための複数の孔を所定の位置に設け、該遊技部品を取付るための複数の孔と対応するようにレンチキュラー板、立体視用合成画像シートに連続した複数の取付孔を配設し、夫々の取付孔が一体の取付孔となるように貼付し、遊技基板の取付孔の側壁で遊技部品を圧入固定する箇所に固定爪部材と同幅の固定溝穴を配設するとともに、レンチキュラー板に設けた孔で遊技部品の固定爪部材が圧入される箇所に、遊技盤前面のレンチキュラー板から立体視用合成画像シートと遊技基板を固着した部分までを覆う側壁を設け、該側壁と遊技基板の後端部との間に有る固定溝穴と、遊技部品の壁面の各箇所に適宜設けられた固定爪部材とが圧入により係止され、前記固定溝穴内に位置するように遊技部品が遊技盤へ固定されるように構成したことを特徴とする遊技機の遊技盤」である。
【０００９】
「夫々の取付孔が一体の取付孔となるように貼付し」とは、レンチキュラー板、立体視用合成画像シート、遊技基板を接着した後に取付孔を開けるのではなく、予め遊技部品取付孔を配設しておき、夫々の取付孔を重合し、一体の取付孔となるようにすることである。
【００１０】
「遊技基板の取付孔の側壁で遊技部品を圧入固定する箇所に固定爪部材と同幅の固定溝穴」において、固定爪部材とはレンチキュラー板、立体視用合成画像シート、遊技基板の一体となった遊技部品取付孔に対応するように遊技部品の主要箇所に適宜設けられた弾性を有す外向きの係止部材である。そして固定溝穴とは、該固定爪部材と対応するように設けられたストレートな溝穴のことである。
【００１１】
「遊技盤前面のレンチキュラー板から立体視用合成画像シートと遊技基板を固着した部分までを覆う側壁」とは、レンチキュラー板の遊技部品取付孔から遊技機台後方側に向かって設けられ、該固定爪部材の係止部までの長さと係止部と同調の厚みを有している側壁のことである。
【００１２】
「側壁と遊技基板の後端部との間に有る固定溝穴と、遊技部品の壁面の各箇所に適宜設けられた固定爪部材とが圧入により係止され」とは、遊技部品を遊技盤に取付ける際、前記側壁を通過時に内側に弾性変形し、通過後に外側へ復帰し先端の係止部が固定溝穴に嵌合されることである。
【００１３】
「固定溝穴内に位置する」とは、固定爪部材が係止される係止部が固定溝穴内に収まり、遊技基板裏面に突出することなく遊技部品が固定されることである。
【００１４】
【発明の実施の形態】
本発明の遊技部品を遊技盤に圧入し固定する実施の形態を図５から図１５を参考にして詳細に説明する。図５は本発明の遊技盤の構成を表す斜視図、図６は本発明のレンチキュラー板を成形する際の射出成形機に金型を装着する説明図、図７は図６の次工程である金型の型締めを行う説明図、図８は図７の次工程である流動状態の合成樹脂材料を射出注入する説明図、図９は射出成形の最終工程である金型を開きレンチキュラー板の取り出しを行う説明図、図１０は図５のＡ−Ａ’の断面図、図１１は固定爪部材が配設されたセンターケースの斜視図、図１２は入賞口を遊技盤へ圧入固定した断面図、図１３は本発明のレンチキュラー板の裏面に成形機で透光色の合成樹脂、非透光色の合成樹脂を順次成形して一体化した遊技基板を配置した遊技盤の構成図、図１４は本発明のレンチキュラー板に合成樹脂製の遊技基板を射出成形機で一体成形する説明図、図１５は入賞口を透光色の合成樹脂、非透光色の合成樹脂からなる遊技基板を固着した遊技盤へ圧入固定した断面図である。
【００１５】
図５において、１７はレンチキュラー板であり、センターケース１２の取付孔１２ａに固定溝穴２２が設けられるように、風車９、サイド表示ランプ１０、入賞口１１、始動口１３、アタッカー１４、通過チャッカー１５においても同様に設けられ、尚入賞口１１の取付孔は１１ａとなっている。図６で図示するようにレンチキュラー板１７はＰＭＭＡ樹脂２４を材料として射出成形機２０で成形される。金型の開閉を行う型締めユニットである固定型２０ａ、可動型２０ｂに金型を装着し、金型の型締めを行う。ホッパー２０ｆから加熱されて流動状態になったＰＭＭＡ樹脂２４を流入させ、モーター２０ｄによりシリンダーｅを回転させて流動状態のＰＭＭＡ樹脂２４をノズル２０ｃ側に移送し、ノズル２０ｃからＰＭＭＡ樹脂２４を固定型２０ａと可動型２０ｂを締めて一体とした部分へ加圧注入する。可動型２０ｂ内で最初にレンズ１８、続いてレンチキュラー板１７が成形され、次にレンチキュラー板１７の裏面の外側端部から遊技基板２の裏面までの長さを有し、該レンチキュラー板１７の裏面を囲繞する囲繞壁１７ｂが形成される。射出成形機２０で成形時に材料のＰＭＭＡ樹脂２４の及ばない箇所に各遊技部品取付孔３が形成される。また、レンチキュラー板１７の裏面を囲繞する囲繞壁１７ｂが形成されるのと同時に、レンチキュラー板１７から立体視用合成画像シートと１６と遊技基板２を固着した部分までを覆う側壁１７ａが設けられ、同時に該側壁１７ａに遊技部品の固定爪部材２３と対応する固定溝穴２２が設けられる。そして、射出成形の最終段階である、金型を開いてレンチキュラー板１７の取出しが行われる。
【００１６】
立体視用合成画像シート１６と遊技基板２の遊技部品取付孔３、切除部２６が一体となるように、レンチキュラー板１７に設けられた側壁１７ａ内に嵌合する。レンチキュラー板１７、立体視用合成画像シート１６、遊技基板２が一体となった遊技盤１には遊技部品が取付けられたり、多数の釘２１が打設される。
【００１７】
図１０において、固定溝穴２２は射出成形機２０でレンチキュラー板１７の裏面の側壁１７ａを成形する時に、同時に成形され、遊技部品に設けられた固定爪部材２３と対応するように配設されている。
【００１８】
各遊技部品において設けられる固定爪部材２３は、例えば図１１において示すセンターケース１２のように各遊技部品を遊技基板２に取付ける際、前記固定溝穴２２に対応する幅、厚みを有するように成形され、各々の遊技部品の後端部に適宜設けられる。
【００１９】
図１２において、１１ａは入賞口１１の取付孔であり、該入賞口１１の取付孔１１ａに入賞口１１の固定爪部材２３を遊技盤１の前方より切除部２６の後方へ圧入すると、その通過時に該固定爪部材２３が内側へ弾性変形し、通過後元の状態へと復帰し、固定爪部材２３と固定溝穴２２とが係止部２５において圧入固定される。尚、圧入固定される際に固定爪部材２３は遊技基板２の裏面にへ突出せずに、該固定爪部材２３の先端は固定溝穴２２内に位置する。
【００２０】
図１３の遊技盤１は、レンチキュラー板１７に接着させた立体視用合成画像シート１６の裏面にＰＥＴ樹脂或いはＡＢＳ樹脂から成る透光色の合成樹脂２７と前記ＡＢＳ樹脂に顔料を加えて非透光色とした合成樹脂２８の遊技基板２を配設することで構成されている。立体視用合成画像シート１６の裏面に合成樹脂製の遊技基板２を配設するには射出成形機２０が使用される。
【００２１】
図１４において、遊技基板２は遊技機台前方側を透光色の合成樹脂２７を射出成形して遊技基板層２ａを形成した後、非透光色の合成樹脂２８を射出成形して遊技基板層２ｂを形成することによって構成されている。上記のように遊技基板２を二種類の合成樹脂から形成することによって、立体視用合成画像シート１６の図柄をより明瞭に見ることができるとともに、レンチキュラー板１７、立体視用合成画像シート１６と遊技基板２が剥がれることがなくなる。
【００２２】
図１５において、レンチキュラー板１７と遊技基板２を一体形成する際に、射出成形機２０で透光色の合成樹脂２８をレンチキュラー板１７の側壁１７ａと同長の厚みで射出し、次に非透光色の合成樹脂２８を射出する。非透光色の合成樹脂２８を射出する際、ベニヤ等木製の遊技基板２と同様に、入賞口１１を圧入固定するため、固定爪部材２３と同幅の固定溝穴２２を配設する。
【００２３】
【発明の効果】
本発明によれば、遊技部品の取付に関して、遊技部品取付孔の側壁に設けられた固定溝穴と遊技部品の各箇所に適宜設けられた弾性を有す外向きの固定爪部材とが圧入固定されることにより、取付部品、工具等を必要とせずに容易、確実かつ短時間で遊技部品の取付が可能となる。また遊技部品固定のための位置決めを行う必要がなく、長年の経験を持った熟練者でなくとも簡単に取付作業を行うことができ、作業効率も著しく向上する。遊技盤表面に取付具を突出させることなく遊技部品の固定が可能であるので、遊技盤の絵柄を乱さず見栄も良く、遊技者が快適にパチンコ遊技を楽しむことができる。
【図面の簡単な説明】
【図１】パチンコ機の正面図である。
【図２】従来の遊技盤の構成図である。
【図３】従来のレンチキュラー板による立体視を説明する図である。
【図４】従来の入賞口を遊技盤へ圧入固定した断面図である。
【図５】本発明の遊技盤の構成を表す斜視図である。
【図６】本発明のレンチキュラー板を成形する際の射出成形機に金型を装着する説明図である。
【図７】射出成形機における金型の型締めを行う説明図である。
【図８】射出成形機における流動状態の合成樹脂材料を射出注入する説明図である。
【図９】射出成形機における金型を開きレンチキュラー板の取り出しを行う説明図である。
【図１０】Ａ−Ａ’の断面図である。
【図１１】固定爪部材が配設されたセンターケースの斜視図である。
【図１２】入賞口を遊技盤へ圧入固定した断面図である。
【図１３】本発明のレンチキュラー板の裏面に成形機で透光色の合成樹脂、非透光色の合成樹脂を順次成形して一体化した遊技基板を配置した遊技盤の構成図である。
【図１４】本発明のレンチキュラー板に合成樹脂製の遊技基板を射出成形機で一体成形する説明図である。
【図１５】入賞口を透光色の合成樹脂、非透光色の合成樹脂からなる遊技基板を固着した遊技盤へ圧入固定した断面図である。
【符号の説明】
１；遊技盤、２；遊技基板、２ａ；遊技基板層（透光色）、２ｂ；遊技基板層（非透光色）、３；遊技部品取付孔、４；接着剤、５；装飾シート、６；内レール、７；外レール、８；遊技領域、９；風車、１０；サイド表示ランプ、１１；入賞口、１１ａ；取付孔、１２；センターケース、１２ａ；取付孔、１３；始動口、１４；アタッカー、１５；通過チャッカー、１６；立体視用合成画像シート、１７；レンチキュラー板、１７ａ；側壁、１７ｂ；囲繞壁、１８；レンズ、１９；接着剤、２０；射出成形機、２０ａ；固定型、２０ｂ；可動型、２０ｃ；ノズル、２０ｄ；モーター、２０ｅ；シリンダー、２０ｆ；ホッパー、２１；釘、２２；固定溝穴、２３；固定爪部材、２４；ＰＭＭＡ樹脂、２５；係止部、２６；切除部、２７；透光色の合成樹脂、２８；非透光色の合成樹脂。
【図１】
2004121642.tif 000003
【図２】
2004121642.tif 000004
【図３】
2004121642.tif 000005
【図４】
2004121642.tif 000006
【図５】
2004121642.tif 000007
【図６】
2004121642.tif 000008
【図７】
2004121642.tif 000009
【図８】
2004121642.tif 000010
【図９】
2004121642.tif 000011
【図１０】
2004121642.tif 000012
【図１１】
2004121642.tif 000013
【図１２】
2004121642.tif 000014
【図１３】
2004121642.tif 000015
【図１４】
2004121642.tif 000016
【図１５】
2004121642.tif 000017